(57)【特許請求の範囲】
【請求項１】
球タンクの底壁に開設された導出口に相対し該導出口からの落下球を受ける幅広の球受部と、前記球受部の下流に位置しパチンコ球を整列して導く主流路と、前記主流路に並設され下流に向って次第に幅員を狭くして該主流路に合流する副流路とで構成され、
前記球受部は前記主流路より急傾斜状に形成すると共に、その下流端部が該導出口下方位置を越えており、
前記副流路は少なくとも後半部を前記主流路より緩傾斜状乃至主流路に対し逆傾斜状に形成したことを特徴とするパチンコ遊技機の球誘導樋。
【請求項２】
前記主流路は仕切壁により２列に区画されていることを特徴とする請求項１記載のパチンコ遊技機の球誘導樋。
【請求項３】
前記副流路は前記主流路との合流地点でパチンコ球１個程度の段差を生じるようにしたことを特徴とする請求項１または２記載のパチンコ遊技機の球誘導樋。
【発明の詳細な説明】
【０００１】
【発明の属する技術分野】
本発明は、パチンコ遊技機の球誘導樋に関するものである。
【０００２】
【従来の技術】
従来パチンコ遊技機は、賞球および貸球となるパチンコ球を貯留する球タンクが装着され、この球タンクの導出口下方にパチンコ球を整列して誘導する球誘導樋が設けられており、所定数のパチンコ球を払出す球払出装置に整列して供給するようにしている。そして、球払出装置の払出し動作に伴い前記球タンクのパチンコ球を前記球誘導樋から順次パチンコ球が供給されるようになっている。
【０００３】
また、前記球誘導樋は、ほぼパチンコ球の径と等しい１２ｍｍの通路幅で、パチンコ球がほぼ直線状に１列で並ぶ供給通路を単列または仕切壁により複列に区画している。そして、球タンクの導出口での球圧を分散するために上流側の前面壁を高さを違えて段状に膨出して供給通路とほぼ同じ通路幅で同じ傾斜方向の補助通路を形成している。
【０００４】
【発明が解決しようとする課題】
しかしながら、球タンクの導出口から流出する多量のパチンコ球によって導出口下方に位置する球誘導樋の始端部において補助通路の段差または供給通路を形成しる仕切壁に局所的に球圧が掛かりその球圧によりバランスがとれて球詰りを起しパチンコ球の流下が停止する問題があった。
【０００５】
また、補助通路の供給通路との合流地点では補助通路が供給通路と同じ傾斜方向であることから、補助通路のパチンコ球が球圧により強引に供給通路に合流しようとして始端部と同様に球噛み，球詰りを惹き起こして、球払出装置にパチンコ球が供給できなくなるという問題があった。
【０００６】
さらに、供給通路が仕切壁により区画されて複列で流下する球誘導樋にあっては、例えばそれぞれの供給通路に球払出装置が設けられ、一方の球払出装置が可動して一方の供給通路のみが流下した場合に、特に導出口下方の始端部において前記仕切壁によりパチンコ球が相互に自由に移動することができず、他方の供給通路のパチンコ球が動かないためにバランスがとれて球詰りを起したり、導出口からの供給が間に合わず球切れを起したりするという問題があった。
【０００７】
そこで本発明は、球詰りすることなく確実に球払出装置にパチンコ球を供給することができるパチンコ遊技機の球誘導樋を提供することを目的としている。
【０００８】
【課題を解決するための手段】
上記目的を達成するために、請求項１記載の発明は、球タンクの導出口からの落下球を受ける幅広の球受部と、前記球受部の下流に位置しパチンコ球を整列して導く主流路と、前記主流路に並設され下流に向って次第に幅員を狭くして該主流路に合流する副流路とで構成され、前記球受部は前記主流路より急傾斜状に形成し、前記副流路は少なくとも後半部を前記主流路より緩傾斜状乃至主流路に対し逆傾斜状に形成したことを特徴とする。つまり、球タンクの導出口と相対する前記球誘導樋の始端部である球受部の傾斜角度を主流路の傾斜角度に比して大きく設定して急傾斜とし、前記副流路の後半部を前記主流路の傾斜に対して負角となるように設定している。そして、球タンクの導出口の下方に位置する球誘導樋の始端部である球受部でパチンコ球が幅方向に自由に移動できるようにして、球圧が最もかかる球受部での球詰りを防止すると共に副流路の球圧を主流路の球圧に比して弱くして合流地点での球詰りをも防止する。ここでいう「負角」とは主流路の傾斜角度に対して負の方向に傾斜する角度を意味し、主流路の傾斜に比して緩やかな下り傾斜であり、水平または逆傾斜である。また、前記幅広の球受部は一部または全部が球タンクの導出口の下方に位置して設けられる。
【０００９】
また、前記副流路を主流路の両側にそれぞれ拡幅状に並設してもよく、各副流路の合流地点はパチンコ球の合流時に球圧が集中して球詰りしないように合致することなく流下方向に互いにずらすようにするのが好ましい。さらに、前記各副流路の幅員をそれぞれ異ならせ、各副流路を流下するパチンコ球の数量を異なるようにすることにより、合流地点で球圧差が生じるようにしてもよい。好ましくは幅員が広く球圧が大きい副流路が下流側または下方で合流するようにするのがよい。
【００１０】
請求項２記載の発明は、球タンクの導出口からの落下球を受ける幅広の球受部と、前記球受部の下流に位置し仕切壁により区画してパチンコ球を整列して導く２列の主流路と、前記各主流路に並設され下流に向って次第に幅員を狭くして該主流路に合流する副流路とで構成され、前記球受部は前記主流路より急傾斜状に形成し、前記副流路は少なくとも後半部を前記各主流路より緩傾斜状乃至各主流路に対し逆傾斜状に形成したことを特徴とし、始端部である球受部でパチンコ球が幅方向に分散して他方の球通路側からもパチンコ球が補給されるように移動し、常に均等状態とすることができる。なお、前記仕切壁は終端まで設ける必要はなく途中で途切らせて複列を単列に合流させるようにしてもよい。このとき幅員を狭めるようにするのが好ましい。
【００１１】
請求項３記載の発明は、請求項１または２記載の発明において、前記副流路は前記主流路との合流地点でパチンコ球１個程度の段差を生じるようにしたことを特徴とする。好ましくは前記副流路の合流地点の高さを球心を支持する７ｍｍ〜９．５ｍｍ程度とするのがよい。これによりパチンコ球を１段に整列しやすくなると共に球誘導樋の取付位置を従来より高くでき、機構板の開口窓を大きくすることができることから遊技盤面の中央役物も大型化することができる。
【００１２】
また、前記主流路の幅員をパチンコ球がランダムに並ぶ幅広とし、パチンコ球が幅方向に自由に移動できるようにするのが好ましく、その通路幅は１４ｍｍからパチンコ球のほぼ３個半とするのがよい。ここでいう「ランダム」とは連続するパチンコ球の球心がほぼ直線状に結ばれることなく、連続するパチンコ球の球心がジグザグ状に結ばれ得る状態を意味する。
【００１３】
前記球タンクの導出口からの落下球を受ける球受部を可動自在に軸支して傾斜角度を無段階または多段階に任意で変更可能とするのがよい。球受部の傾斜角度を変更可能とすることでパチンコ遊技機毎または機種毎で最適条件に設定することができる。
【００１４】
前記主流路の底壁と前記球タンクの導出口の開口縁までの高さはパチンコ球が三段で積み重なって流下しない高さであるパチンコ球２個半程度が好ましく、球誘導樋の高さを低くでき成形および保管がしやすくなり、さらにパチンコ球が整列しやすくなる。
【００１５】
なお、本発明の「パチンコ遊技機」は、パチンコ球を使用して賞球等を球払出装置から払出す遊技機を意味し、雀球遊技機，アレンジボール式遊技機，パチンコ球を使用した回胴式遊技機（パチロット）等の遊技機をも含む。
【００１６】
【発明の実施の形態】
以下に本発明を図面を参照して説明する。図１は本発明に係るパチンコ遊技機の裏面図である。図において、１はパチンコ遊技機の機枠、２は該機枠に開閉自在に装着される前面枠、３は前面枠２の後面に着脱自在に取付けられる遊技盤であって、該遊技盤３の裏面には入賞球集合カバー４が配設されており、該入賞球集合カバー４の裏面に基板ボックス５が装着されている。該基板ボックス５にはパチンコ遊技機の遊技内容を制御するための回路基板が収納されている。
【００１７】
６は遊技盤３の裏面に装着される機構板であり、合成樹脂によりほぼ方形状に形成されている。この機構板６のほぼ中央には、窓部７が開設されており、前記基板ボックス５および遊技盤３に設けられる可変表示装置等の中央役物１３の後部を臨ませている。前記窓部７の上方にパチンコ球を貯留する球タンク８が取付けられ、該球タンク８の下方にはパチンコ球を整列して導き出す球誘導樋９が設けられている。そして、前記球誘導樋９の下流端は屈曲誘導樋１０を介して所定数のパチンコ球を払出す球払出装置１１に接続されており、該球払出装置１１の下方には、払出されたパチンコ球を前面枠１の前面側に設けられる打球供給皿（図示せず）へ導くための排出樋１２が形成される。３３は球抜樋であり、機構板６の軸支部側方に臨んで設けられている。
【００１８】
前記球タンク８は、上面が開口する平面略長方形の箱状に形成され、底壁１５はほぼ平坦面であり、図４および図７に示すように一側壁に向って３°の緩やかに下傾としている。そして、底壁１５の下流端部であり、かつ前後幅のほぼ中央に後述する球誘導樋９の上流始端部分に対応して、長方形状の導出口１６が開設される。
【００１９】
前記球誘導樋９は、図２乃至図８に示すように、機構板６に接する後面壁１９と、該後面壁１９に対向する前面壁１８および底壁２０とにより上面が開口して形成される。そして、少なくとも前記球タンク８の導出口１６と相対し該球タンク８の導出口１６からの落下球を受ける幅広の球受部９０と、前記球受部９０の下流に位置しパチンコ球を整列して導く主流路２１と、前記主流路２１に並設され下流に向って次第に幅員を狭くして該主流路２１に合流する副流路２２とで構成され、前記球受部９０は前記主流路２１より急傾斜状に形成し、前記副流路２２は少なくとも後半部を前記主流路２１より緩傾斜状乃至主流路２１に対し逆傾斜状に形成している。つまり、球受部９０を幅広で傾斜角度を主流路２１の傾斜角度より大きく設定していることから、前記球タンク８の導出口１６から流出するパチンコ球の球圧が局所的に掛かることがなく、しかも初速度を速めることによって球誘導樋９の始端部である球受部９０でパチンコ球が滞留することがなく球詰りの要因であるバランスを崩し球詰りが起こらないようにしている。
【００２０】
前記副流路２２は前面壁１８を湾曲状に膨出して形成され、本実施の形態において少なくとも後半部を長手方向のみに傾斜して前記主流路２１の傾斜に対して負角に形成し、前記主流路２１を断面凹溝状に形成すると共に該主流路２１との合流地点１７で高低差つまり段差を生じるようにしている。ここでいう「合流地点」とは副流路２２のパチンコ球が膨出した湾曲状の前面壁１８により誘導され副流路２２の支持面から強制的に外れ主流路２１側に流落し得る部位を意味している。また「負角」とは主流路の傾斜角度に対してマイナスの角度であり、主流路２１の傾斜角度より緩やかな傾斜状乃至逆傾斜状となることを意味し、主流路２１の流速および球圧に比して副流路２２の流速および球圧を弱くすることを目的とし、実施の形態に示す傾斜角度に限定されるものではない。なお、副流路２２を水平とした際には副流路２２の球支持部を主流路２１側に緩やかに下傾させるのが好ましい。
【００２１】
また、前記主流路２１の終端側はクランク状に約１５°の急傾斜に屈曲して、多段に積み重なったパチンコ球を該傾斜差により下段のパチンコ球の流速を速くして、上段のパチンコ球を下段のパチンコ球間に入り込ませて整流するようにしている。そして、その上面を覆うように主流路２１を複数段で流下するパチンコ球を一段に球均しすると共に、前面壁１８側からの球零れを防止する蓋部材２３が緩やかな下傾状に設けられている。前記蓋部材２３は、図２および図３に示すように前後面壁１８，１９に異なる方向（横方向および上方向）に形成された溝部２４ａ，２４ｂに蓋部材２３の側方に突設した突起２５ａ，２５ｂを係合して固着するようにしている。具体的には前記蓋部材２３の固着は、先ず突起２５ａを溝部２４ａにほぼ水平方向から嵌合し、次に前記突起２５ａを回動支軸として突起２５ｂが溝部２４ｂの上方から臨むように嵌合して固着する。このように、前記蓋部材２３の取着けを容易にすると共に、突起２５ａ，２５ｂを異なる方向から溝部２４ａ，２４ｂに係合することでパチンコ球の流下により蓋部材２３が無用に外れることはない。
【００２２】
また、図６および図７に示すように前記副流路２２との傾斜角度の差によって凹溝状に形成される主流路２１の底壁２０隅部に、パチンコ球の流下に支障のないようにパチンコ球の半球未満の幅のゴミ落し孔２６が千鳥状に穿設され、該ゴミ落し孔２６から主流路２１の塵埃を落下排除するようにしている。そして、底壁２０下面には球誘導樋９の撓みを防止する三角板状の翼片２７がリブを介して所定間隔で水平状に設けられており、従来の垂直状に設けられる撓み防止片と比較して強度効果に遜色はなく、しかも球誘導樋９の下方側への突出を少なくできてその分窓部７を大きく広げることができる。
【００２３】
また、前記翼片２７間にゴミ等による万一の球詰りのために球詰解除手段２８として箱体２９に収納される振動モータ３０が任意の翼片２７間に着脱自在に取付けられる。前記振動モータ３０は図４に示すようにモータ軸３０ａに偏心円盤３１を設けることにより構成され、該偏心円盤３１が回転することにより振動が発生するようになっている。前記箱体２９は取付手段として前記リブとほぼ同じ肉厚であり前記翼片２７と底壁２０との隙間に嵌めこむ鍔状の取付板２９ａが一体に設けられ、箱体２９内に形成された区画壁２９ｂを介して振動モータ３０と偏心円盤３１とが収納される。なお、前記球詰解除手段２８としての振動モータ３０は図４鎖線に示すように任意で取着位置を変更することが可能であり、パチンコ球の流下状況等によりホール毎またはパチンコ遊技機毎に最適条件にすることができる。そして、後述する屈曲誘導樋１０に設けられる球切れ検出器３５が球切れを検知すると、前記振動モータ３０が作動し、その振動により球詰りを自動的に解消して球払出装置１１にパチンコ球を供給するようにしている。なお、前述したように前記振動モータ３０は万一の球詰りのためのものであり、必ず設けなければならないものではない。
【００２４】
前記球誘導樋９は、実施の形態において図４および図５に示すように、前記導出口１６に相対し該導出口１６からの落下球を受ける幅広の球受部９０を約２０°の急傾斜面として、その下流の主流路２１を２°〜７°の緩傾斜状（図上４°）に形成している。そして、前記主流路２１の幅員はパチンコ球が幅方向に平行に２個並ばずパチンコ球が半複数列でジグザグ状に接触状に流下し得る約２１ｍｍの幅広としている。これは、主流路２１が通常の１２ｍｍ幅であると連続するパチンコ球の球心距離が球径の約１１ｍｍであるが、幅員を２１ｍｍの幅広とすることにより主流路２１にパチンコ球がジグザグ状に並び後続のパチンコ球との球心距離が球径の約半分の５．５ｍｍとなる。これにより、球払出装置１１が高速で払出しを行ってもパチンコ球間に隙間が空くことがなく、この間隙によるトラブルを未然に防いで確実に供給し続けることができる。
【００２５】
また、前記副流路２２の幅員はパチンコ球径よりやや幅広の１４ｍｍの通路幅をとして下流側を次第に狭くなる約３２０Ｒの緩やかな円弧状に形成している。そして、副流路２２の後半部を前記主流路２１の傾斜４°に対して−７°の負角として約３°の緩やかな逆傾斜状に形成し、前記主流路２１との合流地点１７でパチンコ球１個程度（約９．５ｍｍ）の高低差を生じるようにしている。この高さは接触状態のパチンコ球とパチンコ球の間に同一面内で載ったパチンコ球の下端高さに匹敵し、主流路２１を流下する最下段のパチンコ球とパチンコ球の間にスムーズに入り得る高さである。この実施の形態において合流地点１７は副流路２２の終端からパチンコ球２〜３個分の範囲である。また、副流路２２の異傾斜の交差によって形成される変傾線Ｃは、主流路２１に向って下流側に約３０°傾斜しており、通常時副流路２２のパチンコ球は後半部の逆傾斜部を上らず該変傾線Ｃに沿って誘導されて流下し主流路２１に合流する。
【００２６】
そして、上記構成の球誘導樋９は前記球タンク８の下方に位置して後面壁１９を機構板６に当接して、ビス止めおよび係止具等の適宜手段によってパチンコ球が自然流下するように傾斜して取付けられる。図上は係止具としての所謂「ナイラッチ」により取着するようにしている。このとき、図４に示すように球タンク８の導出口１６の開口端から主流路２１の底壁２０までの高さは２段に重なったパチンコ球が流下し得るパチンコ球約２個程度（２１ｍｍ〜２４ｍｍ）としている。なお、上記実施の形態において前記主流路２１の前面壁１８側の一側に副流路２２を拡幅状に設けるようにしたが、後面壁１９側に設けるようにしても前記主流路２１の前後面壁１８，１９の両側に副流路２２を拡幅状に設けるようにしてもよく、球誘導樋９の球受部９０を主流路２１の傾斜角度より大きい傾斜角度の急傾斜面として、副流路２２も後半部を主流路２１の傾斜角度より負角にすればよい。また、主流路２１の両側に副流路２２を設けた際には各副流路２２の合流地点１７はパチンコ球の合流時に球圧が集中して球詰りしないように合致することなく流下方向に互いにずらすようにするのが好ましい。さらに各副流路２２の傾斜角度を同一にする必要はなく、異傾斜として合流地点１７で高さ方向に球圧をずらすようにしてもよい。
【００２７】
前記屈曲誘導樋１０は、供給通路３６の幅員を球誘導樋９の主流路２１と同じ２１ｍｍとして下流側を９０°捻って幅広方向を前後方向から左右方向に変化させている。また、垂直通路部に球切れを検知する球切れ検出器３５が設けられ、該球切れ検出器３５の検知によって前記振動モータ３０を作動するようにしている。前記球切れ検出器３５の設置位置は、球払出装置１１に球止される最先のパチンコ球から該球切れ検出器３５までの間に約２５個（１００円分の貸球に相当）のパチンコ球が在る位置が選ばれ、球切れ検出器３５で検知後少なくとも１００円分の貸球が払出し可能となっている。なお、球切れ検出器３５の検知によって遊技者または店員が視認し得るパチンコ遊技機の前面のランプ表示等を点灯させるようにしてもよい。３４は球抜装置であり、球抜弁が前記球切れ検出器３５の対向位置に跨って設けられており、該球抜装置３４の操作後に前記球切れ検出器３５が作動するようになっていることから、従来球抜きしても前記球切れ検出器３５が作動する位置になかったために悪戯または誤って球抜きした際に確認することができなかったが、悪戯または誤って球抜きした際に球切れ報知により確認することができる。なお、上記屈曲誘導樋１０の供給通路３６の下流側を９０°捻るようにしたが、後述する球払出装置１１の球流路３８によってはそのまま捻ることなく供給通路３６を垂下するようにしてもよい。また、上記屈曲誘導樋１０は供給通路３６の幅員を球誘導樋９の主流路２１と同じ２１ｍｍとしたが、球誘導樋９との接続部である始端部から球切れ検出器３５が設けられる屈曲部終端までの屈曲通路部をパチンコ球が２個並列し得る２４ｍｍの通路幅として、その下方の垂直通路部を徐々に２１ｍｍの通路幅に狭めるようにしてもよく、屈曲誘導樋１０の始端部を２４ｍｍの幅広とすることで幅方向に球誘導樋９の球圧が拡散し、前後上下の四側で囲まれた供給通路３６で始端部が上下方向にも球径より余裕があることから球圧により対角状に球詰りするのを未然に防いで、屈曲部でのパチンコ球の流下をスムーズにすることができる。
【００２８】
前記球払出装置１１は、図９に示すように箱枠状のケース体３７に前記屈曲誘導樋１０の供給通路３６と連通する球流路３８と、前記球流路３８の一側に外周部を突出させることにより該球流路３８を流下するパチンコ球によって従動回転するように回転軸３９によって鉛直面内で回転自在なるように支持したスプロケット４０と、球流路３８の他側で前記回転軸３９より下部位置にて窓孔４１から該球流路３８中に臨んで最先のパチンコ球を支持する先端部が出没するように支軸４２に回転自在に軸支された作動体４３と、該作動体４３の後端部に係合片４４を介してプランジャーヘッド４５を係止させているアクチュエータたるソレノイド４６とを備えている。
【００２９】
なお、４８は投光器と受光器とからなる光学式の球計数用センサで、該センサ４８は作動体４３により制止されるパチンコ球の僅かに下流位置で、しかも球流路３８の中心線からずれた位置でその光軸が交差するように配置され、該作動体４３による制止が開放された直後のパチンコ球がこの光軸を遮ることで該パチンコ球を検知する。また、４９は作動体４３により制止されたパチンコ球とその１つ上に停止しているパチンコ球との隙間を光軸が通過するように配置された制御用センサである。また、前記センサ４８，４９は上記のような光学式に限らず磁気式近接センサ等種々のセンサを使用可能である。
【００３０】
前記球流路３８はほぼ垂直状をしており、球入口を前記球誘導樋９の主流路２１と同じパチンコ球が半複数列でランダムに流下し得る２１ｍｍの幅広の内幅を有し、前記スプロケット４０および作動体４３が臨む下流部は緩やかな円弧状傾斜面（約５０Ｒ）によって該スプロケット４０が回転し得る方向に向ってパチンコ球ほぼ１個分の１２ｍｍに絞り込んでいる。なお、前記屈曲誘導樋１０の終端をパチンコ球ほぼ１個分の１２ｍｍに絞り込んで、球流路３８の球入口を同幅の１２ｍｍとしてもよい。
【００３１】
また、前記スプロケット４０の爪部４０ｂは球流路３８内にて連なっているパチンコ球間に介入しパチンコ球どうしを非接触状態に離間させるので、球計数用センサ４８による検知が容易となり検知ミスがなくなって払出球数に過不足が生じるのを確実に防止することができる。さらに、前記スプロケット４０の各爪部４０ｂの先端は嘴状に尖った形状に形成され、この爪先と球流路３８の側壁との間でパチンコ球が架橋状態となることを防ぐようにしている。
【００３２】
この球払出装置１１では、パチンコ球の直径とスプロケット４０の歯底部４０ａの半径との和が球流路３８中に突出した作動体４３の先端部と該スプロケット４０の中心との距離よりも大であるように設定されているので、該作動体４３の先端部が球流路３８中に突出することにより、パチンコ球を該作動体４３の先端部とスプロケット４０の歯底部４０ａとの間に静止させることができ、これによって該パチンコ球の払出しが停止される。また前記作動体４３の先端部が球流路３８から後退して、パチンコ球の直径とスプロケット４０の歯底部４０ａの半径との和が球流路３８中に突出した作動体４３の先端部と該スプロケット４０の中心との距離よりも小となることで該パチンコ球の払出しがなされる。
【００３３】
また、この球払出装置１１では、球流路３８中に作動体４３の先端部が突出する途中過程で、スプロケット４０の中心とパチンコ球と該作動体４３の先端部とが略々一直線に並ぶときも該パチンコ球の外周面とスプロケット４０の歯底部４０ａとの間に常に隙間が形成されるように、前記歯底面４０ａの形状，寸法および回転軸３９の位置が設定されている。この隙間があることにより、例えば停電時、あるいは所定数のパチンコ球が払い出されたところでソレノイド４０が消磁され作動体４３の先端部が突出する際に、パチンコ球が前記作動体４３の先端部によって押されても該パチンコ球は前記スプロケット４０を回転させつつこの隙間に逃げ込む余裕があることとなるので、架橋状態となるおそれがなく球噛みすることがない。
【００３４】
このように構成した球払出装置１１では、常態ではコイルバネ５１の弾性により作動体４３の先端部が球流路３８中に突出していて該作動体４３の先端部とスプロケット４０の歯底部４０ａとの間にパチンコ球が静止され、該球流路３８中のパチンコ球の流下を止めるようにしている。そして、ソレノイド４６が励磁されることによってプランジャーヘッド４５がコイルバネ５１の弾性に抗して牽引されることから前記作動体４３は支軸４２を中心として回転し、作動体４３の先端部が球流路３８から後退しパチンコ球は自重により払い出される。
【００３５】
上記した球誘導樋９および屈曲誘導樋１０，球払出装置１１等が装着されたパチンコ遊技機に図示しない補給経路からパチンコ球が補給されると、球タンク８の底壁１５の傾斜によって導出口１６からパチンコ球が球誘導樋９に流出して、屈曲誘導樋１０を介して球払出装置１１に供給される。このとき、球誘導樋９において主流路２１に二段状でジグザグ状に並ぶと共に副流路２２にもランダムに並ぶが、副流路２２の後半部が上り傾斜となっていることから後半部にパチンコ球のない空間部ができる。
【００３６】
この状態で貸球または賞球の払出し信号が発せられると球払出装置１１ソレノイド４６が励磁されプランジャーヘッド４５が牽引されると、作動体４３の先端部が球流路３８中から没してパチンコ球は自重により払い出され、球検知センサ４８により所定個数を検知するまで払出しを続ける。このとき、球流路３８のパチンコ球は図９鎖線に示すようにジグザグ状の状態から下流側の傾斜面で徐々に絞られスプロケット４０により所定の球間隔をあけるようにして球検知センサ４８によって確実に検知される。そして、高速の払出しが行われても球流路３８の通路幅が幅広であるため、パチンコ球どうしの球心間隔がパチンコ球１個分より小さくなり、球流路３８を単列で供給される場合と異なりパチンコ球間に隙間が空くことがなく、球詰りすることなく次々にスプロケット４０に送り込まれて連続状態で確実に歯底部４０ｂに受入れられて高速の払出しにも十分対応することができる。
【００３７】
また、前記球誘導樋９のパチンコ球は、導出口１６の下方に位置する始端部である球受部９０が幅広の急傾斜面であることから局所的に球圧が掛かることがない。しかも、初速度を速めて球詰りが起りやすい導出口１６部においてパチンコ球が滞留することがなく、球詰りの要因であるバランスを崩し球詰りが起こることがない。そして、前記払出し動作に伴って主流路２１のパチンコ球がほぼ二段に重なった状態で流下し、副流路２２のパチンコ球は異傾斜が交差した変傾線Ｃに沿って主流路２１と合流する。また、球タンク８への補給時等により導出口１６に球圧が強く掛かったときには副流路２２の後半部が主流路２１の傾斜に対して負角であることから副流路２２のパチンコ球は逆傾斜を上りながら終端の前側壁１８の湾曲により主流路２１に誘導され、合流地点１７で一気に合流することなく球圧が分散吸収して弱められた状態で合流する。しかも、副流路２２の合流地点１７での高さ位置がパチンコ球ほぼ１個程度であることから、副流路２２のパチンコ球はほぼ高さ位置を変えることなく主流路２１を流下する二段目のパチンコ球間に無理なく合流し得る。
【００３８】
また、主流路２１のパチンコ球が流下するのに伴い上段のパチンコ球は、払出し動作によって最先のパチンコ球から順次移動する僅かなタイミングのずれにより下段を流下するパチンコ球間に生じる隙間に割り込んで一段に整列されて屈曲誘導樋１０に導かれる。このときまだ段状で流下するパチンコ球は前記蓋部材２３により強制的に一段に球均しされる。また、払出しを停止した時に惰性により主流路２１の終端に上流側の球圧が掛かり屈曲誘導樋１０との接続部付近でパチンコ球が再度段状になり得るが、逆に段状になることで球圧が吸収されることになり、球払出装置１１に過重な球圧が掛かることはない。しかも、段状になったパチンコ球は、球誘導樋９の終端部が急傾斜となっていることで下段のパチンコ球の流速が上流側より速く、段状となったパチンコ球が下段のパチンコ球間にすぐに落入して一段で流下することになる。
【００３９】
このように、主流路２１が単流であっても該主流路２１の側方に副流路２２が拡幅状に設けられ、しかも導出口１６に相対し該導出口１６からのパチンコ球を受ける球受部９０を幅広の急傾斜面としたので、球タンク８の導出口１６を所定幅に広く開口することができる。さらに、段差等のパチンコ球の動きが規制される要因がなくパチンコ球が幅方向に自由に移動し得るために局所的に球圧が掛かることがなく、球タンク８の導出口１６での球圧を分散して球詰りを防止する。また、副流路２２の後半部の傾斜角度を主流路２１の傾斜角度より負角に設定することにより、副流路２２を流下するパチンコ球が強引に合流することがないため、球圧によって球詰りを起すことなく主流路２１へスムーズに合流させることができる。
【００４０】
また、主流路２１との合流地点１７の段差をほぼパチンコ球１個分とすることで、球誘導樋９としての高さを低く設定できるために従来に比べて球誘導樋９を上方に上げることができ、それに伴い機構板６の窓部７を大きくすることができる。このため、パチンコ遊技機の遊技内容が高度化し、遊技盤３に設けられる可変表示装置等の中央役物１３やその遊技内容を制御する回路基板が大きくなり、それに伴ってその回路基板を収納する基板ボックス５が大きくなっても十分に対応することができる。また、当然のことながら球誘導樋９の成形が簡単になり、嵩張ることがないため保管および輸送コストが低減する。
【００４１】
なお、上記実施の形態において主流路２１の通路幅を２１ｍｍとしたが、本発明はこの通路幅に限定されるものではなく、パチンコ球の径とほぼ等しい１２ｍｍからパチンコ球が幅方向に３個並ばない３５ｍｍ程度の範囲が好ましい。また、前記球受部９０および主流路２１，副流路２２の傾斜角度は実施の形態に限定されるものではなく、球誘導樋９の長さおよび大きさによって適宜設定変更可能である。例えば球受部９０の傾斜角度は、好ましくは１０°〜４５°の間で変更するのがよい。というもの緩傾斜にするとパチンコ球が滞りがちになり、さらに急傾斜にすると球圧が強くなりすぎて球詰り等の弊害を起すからである。好ましくは図１０に示すように球受部９０を可動自在にして傾斜角度を無段階または多段階に任意で変更可能とするのがよい。このとき可動自在とした球受部９０の下流側を軸支９２して該球受部９０を最も傾斜させた状態で上流側に生じる隙間でパチンコ球が滞留しないようにするのが好ましく、図上球誘導樋９の上流側壁を前記支軸９２を中心とした円弧状に形成して前記隙間をパチンコ球の半球以下としている。なお、可動自在とした球受部９０の固定手段は特に限定されるものではなく、螺着，圧着等種々な方法が考えられる。
【００４２】
図１１乃至図１５は、他の実施の形態を示す。この実施の形態において、前記実施の形態と異なる点は主に球誘導樋の主流路２１を仕切壁５３により区画し、パチンコ球が複列で流下するようにした点であり同じ構成要素には同一符号を付して説明する。なお、球誘導樋の変更にともない屈曲誘導樋および球払出装置も変更する。
【００４３】
この実施の形態の球誘導樋９Ａは、図１１乃至図１３に示すように、球タンク８の導出口１６の下方に位置する始端部を幅方向に自由に移動できるように幅広の球受部９０として形成し、その下流に仕切壁５３によって前記主流路２１をパチンコ球ほぼ１個分（約１２ｍｍ）の幅員を有しパチンコ球を整列して導く２列の緩傾斜状の球通路２１ａ，２１ｂに区画形成すると共にそれぞれの球通路２１ａ，２１ｂに対応するように前後面壁１８，１９を膨出して主流路２１とほぼ同じ幅員を有する副流路２２ａ，２２ｂを設けている。そして、前記副流路２２ａ，２２ｂは少なくとも後半部を前記球通路２１ａ，２１ｂに対して負角となるようにすることにより、球通路２１ａ，２１ｂと徐々に段差を形成し合流地点１７ａ，１７ｂではほぼパチンコ球１個程度の高低差を生じるようにしている。なお、図１２において底壁の傾斜方向を矢印にて示している。また、前記仕切壁５３は、前記急傾斜の球受部９０の下方位置を始端として徐々に高くなり最高点で２段に積み重なったパチンコ球の球心を支持する高さを有している。そして、仕切壁５３の終端部は徐々に低くなりパチンコ球のほぼ１個程度として、前記蓋部材２３の下面に設けられた挟持溝５４により挟持され仕切壁５３が撓むのを防止するようにしている。このように、球誘導樋９Ａは球通路２１ａ，２１ｂおよび副流路２２ａ，２２ｂが仕切壁５３を介して対称的に設けられており、球通路２１ａ，２１ｂの底部２０には前記実施の形態で示したゴミ落とし孔２６が千鳥状の同じパターンで設けられている。また、底壁２０下面には前記実施の形態で示した三角板状の翼片２７がリブを介して所定間隔で設けられている。なお、図１２に示す矢印は底壁２０の傾斜方向を示している。
【００４４】
また、この実施の形態において球タンク８の導出口１６は一辺をパチンコ球３個程度が落下可能な約３８ｍｍ四方の開口としている。また、前記球誘導樋９Ａに連通する屈曲誘導樋１０は仕切壁５５により通路幅が１２ｍｍに区画されたものが装着され、その下方に取着される球払出装置１１Ａもそれに対応するものが装着される。具体的には、球払出装置１１Ａは図１４および図１５に示すように、本体ベース５６と駆動モータ５７とリードスクリュー５８によって大略構成されている。本体ベース５６には屈曲誘導樋１０の供給通路３６ａ，３６ｂに接続する２条の流入通路５９ａ，５９ｂがそれぞれ形成されている。前記駆動モータ５７はモータ取付フレームを介して本体ベース５６に取付けられており、これの出力軸５７ａに前記リードスクリュー５８が固着されている。このリードスクリュー５８は流入通路５９ａ，５９ｂの最先端部のパチンコ球を支持して移送する移送部としての突条６０を螺旋状に設けて構成されており、該突条６０は、本実施の形態の場合、リードスクリュー５８が１回転することによって流入通路５９ａ，５９ｂの最先端部のパチンコ球を排出通路６１ａ，６１ｂに払出すようにその螺旋形状が選ばれている。また、前記排出通路６１ａ，６１ｂにはリードスクリュー５８の回転によって払出されるパチンコ球を検出する球計数用センサ６２ａ，６２ｂが設けられている。
【００４５】
そして、球タンク８にパチンコ球が供給されると導出口１６から急傾斜面の球受部９０に落下して球誘導樋９Ａ等にパチンコ球が充満する。このとき副流路２２ａ，２２ｂの後半部が逆傾斜となっていることからパチンコ球がない状態となっている。この状態で払出し信号が出されると、球払出装置１１Ａの駆動モータ５７が作動し、リードスクリュー５８が回転し流入通路５９ａ，５９ｂに連続状態で待機するパチンコ球が突条６０に支持されつつ排出通路６１ａ，６１ｂを下降し、リードスクリュー５８が１回転するとその最先のパチンコ球が突状６０の支持から外れて球計数用センサ６２ａ，６２ｂで計数され、排出樋１２に排出される。そして、球計数用センサ６２ａ，６２ｂで所定数のパチンコ球が計数されると球払出装置１１Ａの駆動モータ５７が停止する。
【００４６】
また、前記球誘導樋９Ａにおいては上記払出し動作に伴って主流路２１の両球通路２１ａ，２１ｂのパチンコ球が流下し、それぞれの副流路２２ａ，２２ｂのパチンコ球が前記実施の形態と同様に異傾斜によって形成される変傾線Ｃに沿って球通路２１ａ，２１ｂに合流し、導出口１６からの球圧によっては合流地点１７ａ，１７ｂにおいて、副流路２２ａ，２２ｂの逆傾斜を上ることにより球圧を減衰されたパチンコ球が主流路２１の両球通路２１ａ，２１ｂ下段のパチンコ球上に斜め上方から割り込み合流する。このとき仕切壁５３の始端部が導出口１６の相対位置になく、しかも該導出口１６の相対位置が急傾斜面の球受部９０となっていることから幅方向の移動が自由となり仕切壁５３に当接しても球圧によりどちらかの球通路２１ａ，２１ｂに振分けられることになり仕切壁５３によって球噛みを起すことがない。
【００４７】
なお、球払出装置１１Ａは上記したものに限定されるものではなく、複数の球通路２１ａ，２１ｂのパチンコ球を同時または交互に払出すものであってもよい。さらに、球誘導樋９Ａの複数の球通路２１ａ，２１ｂに対して１個の球払出装置１１Ａを設けることなく、前記球誘導樋９Ａの各球通路２１ａ，２１ｂに対して例えば貸球および賞球用の球払出装置をそれぞれ設けるようにしてもよく、一方の球払出装置だけが作動して一方の球通路２１ａ（２１ｂ）のパチンコ球が流下しても球誘導樋９Ａの始端部が幅広の急傾斜状の球受部９０となっていることから、パチンコ球が常に幅方向に分散し滞留することがなく他方の球通路２１ｂ（２１ａ）側からもパチンコ球が補給されるように移動するため、球詰りおよび球切れすることもなく確実に球払出装置に供給することができる。このようにそれぞれの副流路２２ａ，２２ｂのパチンコ球を独立して流下させることで、上記構造の球誘導樋９Ａの特徴を遺憾なく発揮することができる。なお、球通路２１ａ，２１ｂおよび副流路２２ａ，２２ｂの幅員および傾斜角度は上記実施の形態に限定されるものではない。
【００４８】
また、図１６に示すように導出口１６の下方に相対位置する球誘導樋９（９Ａ）の幅広の球受部９０を上流側のパチンコ球１個程度の始端部を緩やかな傾斜部９１としてもよく、恰も球タンク８の導出口１６がずれたようになり球タンク８の端部のパチンコ球が緩やかな傾斜部９１で一旦受けられることで球圧が緩衝され、導出口１６から一気に流出することなく他のパチンコ球の球圧等の状況に応じて導出口１６から流出する。
【００４９】
また、前記実施の形態において、仕切壁５３を介して球通路２１ａ，２１ｂおよび副流路２２ａ，２２ｂを対称的に設けるようにしたが、球誘導樋９Ａの始端部を主流路の傾斜角度より大きい幅広の急傾斜状の球受部とする本発明の基本構成を逸脱しない範囲であれば、それぞれの球通路２１ａ，２１ｂおよび副流路２２ａ，２２ｂの幅員および傾斜角度を変更し異ならせるようにしてもよい。
【００５０】
例えば図１７に示すように、球誘導樋９Ｂは球タンク８の導出口１６と相対する球受部９０を、球通路２１ａ，２１ｂの傾斜角度より大きい幅広の急傾斜面としており、前記球受部９０の下流から始まる仕切壁５３により形成される球通路２１ａ，２１ｂのそれぞれをパチンコ球よりやや幅広の約１４ｍｍの幅員として、球誘導樋９Ｂの終端にて仕切壁５３を途切らせて前面壁１８を徐々に狭めて約２４ｍｍの通路幅に絞り込んで単列で流下するようにしている。そして、それぞれの球通路２１ａ，２１ｂに対応する副流路２２ａ，２２ｂをパチンコ球が複数列または半複数列にランダムに流下し得る３６ｍｍの通路幅とパチンコ球よりやや幅広の１４ｍｍの通路幅としている。これにより、球誘導樋９Ｂの全幅が後述する球タンク８の全幅とほぼ等しくなり、球誘導樋９Ｂ全体のパチンコ球貯留量を多くすることができる。また、球通路２１ａ，２１ｂの前面壁１８側を絞り込んで単流にすることで、副流路２２ａ，２２ｂの幅員により球量の多い球通路２１ａ側の流速が球通路２１ｂより僅かに速くなるのを抑制して流速調整することになり、スムーズに単列に合流させることができる。なお、複列の球通路２１ａ，２１ｂのそれぞれの傾斜角度を異ならせることでも流下速度を変化させることは可能である。
【００５１】
そして、副流路２２ａ，２２ｂの前半部を前記球通路２１ａ，２１ｂの傾斜角度に対してそれぞれ−２°の負角として２°の緩やかな緩傾斜にして、球通路２１ａ，２１ｂと副流路２２ａ，２２ｂの流速および球圧を異ならせると共に球通路２１ａ，２１ｂと副流路２２ａ，２２ｂとに徐々に段差を生じさせるようにしている。一方の副流路２２ｂの後半部を、長手方向にのみ傾斜して前記球通路２１ｂの傾斜角度４°に対して−１４°の負角とした１０°の逆傾斜状の上り傾斜とし、他方の副流路２２ａの後半部は球通路２１ａの傾斜角度４°に対して最大−１６°の負角とした１２°の上り傾斜とすると共に底部が球通路２１ａから離れるに従って高くなるようにして球通路２１ａ側にも傾斜させ、湾曲状に膨出した前後面壁１８，１９により誘導される合流地点１７ａ，１７ｂではそれぞれほぼパチンコ球１個程度の高低差を生じるようにしている。なお、図１７において底壁の傾斜方向を矢印にて示している。
【００５２】
また、前記副流路２２ａの終端は、前面壁１８を第一絞り部１８ａと第二絞り部１８ｂとにより段階的に狭くして、前記第一絞り部１８ａの前面壁１８を球圧によりパチンコ球が上り得る上面拡開状に傾斜させており、第二絞り部１８ｂをパチンコ球が１個程度支持される幅でパチンコ球３個分程度の長さとしている。そして、下流側の逆傾斜部６４は、球通路２１ａ側に約１２°〜１４°下傾して球通路２１ａから離れるに従って高くなる球圧抑制部６５と、さらに稜線を介して１０°〜１２°球通路２１ａ側に下傾する誘導補助部６６と、前記第二絞り部１８ｂに位置し球通路２１ａ側にのみ緩やかに下傾する球逃し通路部６７とで構成している。なお、この実施の形態において前記球逃し通路部６７が前記合流地点１７ａに相応する。
【００５３】
図１８は上記球誘導樋９Ｂに対応して設けられる球タンク８の一例を示し、従来ホールにおいて独自で球切れセンサＳを球タンク８に装着することがあり、前記センサＳが嵩張ることから球タンク８の貯留量が所定量より少なくなり、特に補給時に球タンク８の前面壁１４側からパチンコ球が溢れ出すという問題があった。そこで、図１８に示すように球タンク８の前側壁１４側に沿うように前記導出口１６とは別に少なくともパチンコ球１個が落下し得る幅を有する球落下口６８を形成し、前側壁１４側から零れ出ていたパチンコ球を該球落下口６８から下方に位置する球誘導樋９Ｂの副流路２２ａに落下するようにしている。なお、前記球落下口６８の上流部を除く開口縁は５ｍｍ程度のリブ壁６９によって囲われており、底壁１５の最下段のパチンコ球のほとんどは前記導出口１６から流出する。また、前記リブ壁６９は前記球落下口６８の中央を分断するようにも設けられ前側壁１４側の撓みを防止すると共に前記センサＳの位置決めの機能もなしている。さらに、前記球落下口６８を設けることで前記導出口１６に一気に球圧がかかることがなく、球圧を分散することができ導出口１６での球詰りも解消し、導出口１６を必要以上に大きく開口することがないため、多量のパチンコ球が導出口１６から一気に流出して起きる球誘導樋９Ｂでの球詰りも解消するという効果を奏する。
【００５４】
また、前記球誘導樋９Ｂに連通する屈曲誘導樋１０は供給通路３６の通路幅が２４ｍｍの幅員を有するものが装着され、その下方に取着される球払出装置１１Ｂもそれに対応するものが装着される。具体的には、図１９および図２０に示すように該球払出装置１１Ｂは箱枠状のケース体７０に前記屈曲誘導樋１０の供給通路３６と連通する屈曲状の球流路７１と、該球流路７１に臨み最先のパチンコ球を支持する回転体７２と、該回転体７２の拘束から解除されたパチンコ球が払出される排出通路７３とを備え、ケース体７０に前記回転体７２を駆動する電気的駆動源としてのモータ７４が取付けられる。前記球流路７１と排出通路７３との連通部はガイド壁７５により回転体７２の中心側に絞り込まれ通路幅をパチンコ球のほぼ１個程度としている。また、前記排出通路７３は、回転体７２の回転方向に約５°の傾斜で振っており、パチンコ球の回転体７２からの拘束解除を速くして、側壁での摩耗をし難くしている。７６は回転体７２の拘束から解放された直後のパチンコ球を検知する球検知センサである。
【００５５】
また、前記回転体７２は、合成樹脂により成形され図１９および図２０に示すように本実施の形態では球流路７１の中心に位置して前記球流路７１を流下するパチンコ球を支持し得る１６ｍｍの寸法を有しており、その中心をモータ軸７４ａに取付けモータ７４の回転により幅方向と直交する方向に回動するようにしている。そして、前記回転体７２の周面に軸方向と平行な溝状の球受凹部７７を複数（本実施の形態では６条）形成し、該球受凹部７７間を一部直線部を有する巴形としている。また、前記球受凹部７７はほぼパチンコ球径に等しく、その深さは約３．５ｍｍであり、前記球流路７１にランダムに並んだパチンコ球を１個のみ受入れる形状が選ばれる。そして、前記球受凹部７７の一側部に交互となるように球支持部７８が設けられ、前記球支持部７８の上面は内方に下傾する傾斜面としており、球受凹部７７にパチンコ球が受入れられていない場合には該傾斜面によって必ず球受凹部７７にパチンコ球が受入れられるようにしている。したがって、球流路７１の最先のパチンコ球がどこに位置してもいずれかの球受凹部７７で必ず受入れることになる。なお、前記球受凹部７７の数は球支持部７８が球受凹部７７の側方に交互に設けられることから必ず偶数となる。
【００５６】
そして、払出し信号により球払出装置１１Ｂが駆動すると、回転体７２が回転し球受凹部７７で前記球流路７１の最先のパチンコ球を受入れて１個ずつ排出通路７３に払出す。このとき図２０に示すように球流路７１をパチンコ球がほぼ並列状にランダムに流下するも確実に１個ずつ球受凹部７７に受入れられ、球支持部７８に支持されたパチンコ球が傾斜面により内方に寄りながら次の球受凹部７７に受入れられる。このとき前記球支持部７８を巴形にすることにより、球支持部７８で支持されたパチンコ球をさらに素早くスムーズに球受凹部７７に受入れさせることができる。
【００５７】
また、前記球誘導樋９Ｂにおいては上記払出し動作に伴って主流路２１の両球通路２１ａ，２１ｂのパチンコ球が流下し、常態において前記副流路２２ａ，２２ｂのパチンコ球は、副流路２２ａ，２２ｂを異傾斜とすることにより生ずる変傾線Ｃに沿ってパチンコ球が主流路２１の球通路２１ａ，２１ｂに合流する。このとき球通路２１ａ，２１ｂのパチンコ球は通路幅が１４ｍｍと僅かにパチンコ球の径（１１ｍｍ）より大きいことから下段のパチンコ球は左右に偏位してジグザグ状に流下し、それに伴い上段のパチンコ球も僅かに偏って位置している。このため、副流路２２ａ，２２ｂのパチンコ球は球通路２１ａ，２１ｂに合流しやすくなる。また、副流路２２ａ，２２ｂを流下するパチンコ球の球圧が大きいと、副流路２２ａ，２２ｂのパチンコ球は異傾斜を上り球圧を減少した状態で合流地点１７ａ，１７ｂから球通路２１ａ，２１ｂに合流する。特に副流路２２ａ側のパチンコ球は、球圧により前記球圧抑制部６５を上り球圧を減少するが、さらに大きい球圧がかかると前記球圧抑制部６５の終端である第一絞り部１８ａの湾曲状の傾斜面をのぼり、球圧を減少させた状態で誘導補助部６６から球通路２１ａを流下するパチンコ球の上段に載るようにして合流する。また、前記誘導補助部６６により誘導されて球通路２１ａに合流しようとするパチンコ球は、球通路２１ａの流速に負けて合流し損ねても、誘導補助部６６を上りながら前記球逃し通路部６７に移動し、球圧から解放された状態で第二絞り部１８ｂの湾曲した前面壁１８に誘導されて球詰りすることなく該球逃し通路部６７からスムーズに合流させることができる。そして、払出し動作によるパチンコ球の移動のタイミングがずれることにより、最下段のパチンコ球間の隙間に上段のパチンコ球が割り込み整列し、終端で単列に合流して前記球払出装置１１Ｂにパチンコ球を確実に供給することができる。
【００５８】
なお、上記実施の形態において球タンク８および球誘導樋９（９Ａ，９Ｂ）等を機構板６に装着するようにしたが、実施の形態に限定されることなく前面枠２または遊技盤３等に直接設けるようにしてもよい。
【００５９】
また、本発明の「パチンコ遊技機」は、パチンコ球を使用して賞球等を球払出装置から払出す遊技機を意味し、雀球遊技機，アレンジボール式遊技機，パチンコ球を使用した回胴式遊技機（パチロット）等の遊技機をも含む。
【００６０】
【発明の効果】
以上、説明したところから明らかなように、本発明においては、少なくとも球タンクの導出口と相対位置する球誘導樋の始端部を同一傾斜面の球受部とすると共に傾斜角度を球払出装置にパチンコ球を導く主流路に比して大きく設定し、前記主流路に並設した副流路の少なくとも後半部を前記主流路の傾斜に対して緩傾斜状乃至逆傾斜状となるように設定したことで、球タンクの導出口から流出するパチンコ球の球圧が局所的に掛かることがなく、しかも急傾斜とすることで初速度を速めて球詰りを起しやすい導出部に相対する球受部でパチンコ球が滞留することがない。したがって、ひしめき合って球噛みが起きるような事態を確実に解消すると共にパチンコ球をスムーズに流下させることができる。また、副流路上のパチンコ球を主流路に無理なく合流させることができる。
【図面の簡単な説明】
【図１】パチンコ遊技機の裏面図である。
【図２】球誘導樋の斜視図である。
【図３】球誘導樋の分解斜視図である。
【図４】球誘導樋部分の正面断面図である。
【図５】機構板に取付けた状態の球誘導樋の平面図である。
【図６】球誘導樋の底面図である。
【図７】図５のＸ−Ｘ線断面図である。
【図８】図５のＹ−Ｙ線断面図である。
【図９】球払出装置部分の正面断面図である。
【図１０】他の実施の形態の球誘導樋部分の要部断面図である。
【図１１】他の実施の形態の球誘導樋部分の正面断面図である。
【図１２】図１１の球誘導樋の平面図である。
【図１３】図１２のＺ−Ｚ線断面図である。
【図１４】他の実施の形態の球払出装置の斜視図である。
【図１５】球払出装置部分の正面断面図である。
【図１６】他の実施の形態の球誘導樋の要部断面図である。
【図１７】他の実施の形態の球誘導樋の平面図である。
【図１８】他の実施の形態の球タンクの平面図である。
【図１９】他の実施の形態の球払出装置部分の正面断面図である。
【図２０】図１９の側断面図である。
【符号の説明】
８                            球タンク
９，９Ａ，９Ｂ                球誘導樋
１１，１１Ａ，１１Ｂ          球払出装置
１６                          導出口
１７，１７ａ，１７ｂ          合流地点
２０                          底壁
２１                          主流路
２１ａ，２１ｂ                球通路
２２，２２ａ，２２ｂ          副流路
５３                          仕切壁
９０                          球受部
【図１】
0004235400.tif 000002
【図２】
0004235400.tif 000003
【図３】
0004235400.tif 000004
【図４】
0004235400.tif 000005
【図５】
0004235400.tif 000006
【図６】
0004235400.tif 000007
【図７】
0004235400.tif 000008
【図８】
0004235400.tif 000009
【図９】
0004235400.tif 000010
【図１０】
0004235400.tif 000011
【図１１】
0004235400.tif 000012
【図１２】
0004235400.tif 000013
【図１３】
0004235400.tif 000014
【図１４】
0004235400.tif 000015
【図１５】
0004235400.tif 000016
【図１６】
0004235400.tif 000017
【図１７】
0004235400.tif 000018
【図１８】
0004235400.tif 000019
【図１９】
0004235400.tif 000020
【図２０】
0004235400.tif 000021